(57)【特許請求の範囲】
【請求項１】
コンクリート製の複数のセグメントを円周方向および長手軸線方向に沿って連結して構成され入水口から放入されて流入する水を流すための集水用配管装置であって、
放入される水が衝突する位置の前記セグメントの内壁面上に配設されるゴム材シートと、
隣接する前記セグメント同士を連結する複数の連結用ボルトナットが格納されるボルトボックス内に取り付けられ前記ゴム材シートの裏面と前記連結用ボルトナットとを掛け渡す複数の第１取付部と、
前記ゴム材シートの表面側に位置し各第１取付部とともに前記ゴム材シートを前記内壁面上に固定する第２取付部と、
を備え、
前記複数の連結用ボルトナットは円周方向を向く連結用ボルトナットと、長手軸線方向を向く連結用ボルトナットとを有し、円周方向を向く連結用ボルトナットに対応する第１取付部と、長手軸線方向を向く連結用ボルトナットに対応する第１取付部は互いに直交する、ことを特徴とする集水用配管装置。
【請求項２】
前記第１取付部は、前記連結用ボルトナットに取り付けられるブラケットと、前記ブラケットに設けられた固定ナットまたは固定ボルトとを有し、
前記第２取付部は、前記固定ナットと螺合可能な固定ボルトまたは前記固定ボルトと螺合可能な固定ナットを有する
ことを特徴とする請求項１に記載の集水用配管装置。
【請求項３】
前記ゴム材シートは、内部に層設された金属材シートを有する
ことを特徴とする請求項１に記載の集水用配管装置。
【請求項４】
コンクリート製の複数のセグメントを連結して構成され入水口から放入されて流入する水を流すための集水用配管装置において、放入される水が衝突する位置の前記セグメントの内壁面上にゴム材シートを配設するゴム材シートの配設方法であって、
隣接する前記セグメント同士を連結する複数の連結用ボルトナットが格納されるボルトボックス内に、前記ゴム材シートの裏面と前記連結用ボルトナットとを掛け渡す第１取付部を取り付け、
前記ゴム材シートの表面側に前記第１取付部とともに前記ゴム材シートを前記内壁面上に固定する第２取付部を位置させ、
放入される水が衝突する位置の内壁面上にゴム材シートを配設し、
前記第２取付部と前記第１取付部とを組んで前記ゴム材シートを前記内壁面上に固定することを備え、
前記複数の連結用ボルトナットは円周方向を向く連結用ボルトナットと、長手軸線方向を向く連結用ボルトナットとを有し、円周方向を向く連結用ボルトナットに対応する第１取付部と、長手軸線方向を向く連結用ボルトナットに対応する第１取付部は互いに直交する、
ことを特徴とするゴム材シートの配設方法。
【請求項５】
前記第１取付部は、前記連結用ボルトナットに取り付けられるブラケットと、前記ブラケットに設けられた固定ナットまたは固定ボルトとを有し、
前記第２取付部は、前記固定ナットと螺合可能な固定ボルトまたは前記固定ボルトと螺合可能な固定ナットを有する
ことを特徴とする請求項４に記載のゴム材シートの配設方法。
【発明の詳細な説明】
【技術分野】
【０００１】
本発明は、コンクリート製の複数のセグメントを連結して構成される集水用配管装置とそれに用いられるゴム材シートの配設方法に関する。
【背景技術】
【０００２】
一般的に、地上に降った雨水等は、図８に示すように、地中１００に埋設されたコンクリート材からなる例えばシールドトンネル型の集水用配管装置１０１へ、導管１０２の落下口１０３から落下して流入し、集水用配管装置１０１を流れて河川等へ導かれる。
【０００３】
この場合、落下口１０３から落下する水を受ける位置の集水用配管装置１０１の内壁１０４には、落下する水によってたたき付けられ騒音が発生し、また内壁１０４が損傷する問題が生じていた。また、シールドトンネル型の集水用配管装置１０１に限らず、組み立て式のマンホール型の集水用配管装置においても、マンホールの側壁部に放水された水が直接的に衝突したり側壁部に衝突した後に底部に落下衝突しマンホールの側壁部や底部が損傷する問題が生じていた。
【０００４】
この問題に対応するために、騒音の吸収と内壁の保護のために、ゴム材シート１０５が落下口１０３に対応する集水用配管装置１０１の内壁１０４上に配設されている。
【先行技術文献】
【特許文献】
【０００５】
【特許文献１】特開２００４−５２２６９号公報
【発明の開示】
【発明が解決しようとする課題】
【０００６】
従来は、ゴム材シート１０５を集水用配管装置１０１の内壁１０４上に配設することは、アンカーボルト１０６をゴム材シート１０５上から集水用配管装置１０１へ打ち込むことによって行われていた。
【０００７】
このために、集水用配管装置１０１を構成するコンクリート材にひび割れが生じることがあり、ひび割れを介して雨水等が集水用配管装置１０１から漏れ出たり集水用配管装置１０１の弱体化がすすむという問題があった。
【０００８】
そこで、本願発明は上記従来技術の有する問題を解消し、コンクリート材を損傷させることなくゴム材シートを取り付け可能な集水用配管装置とゴム材シートの配設方法を提供することである。
【課題を解決するための手段】
【０００９】
上記課題を解決するために、本願発明に係る集水用配管装置は、コンクリート製の複数のセグメントを連結して構成され入水口から放入されて流入する水を流すための集水用配管装置であって、放入される水が衝突する位置の内壁面上に配設されるゴム材シートと、隣接する前記セグメント同士を連結する連結用ボルトナットが格納されるボルトボックス内に取り付けられ前記ゴム材シートの裏面側部と前記連結用ボルトナットとを掛け渡す第１取付部と、前記ゴム材シートの表面側に位置し前記第１取付部と組んで前記ゴム材シートを前記内壁面上に固定する第２取付部とを備えることを特徴とする。
【００１０】
また、前記第１取付部は、前記連結用ボルトナットに取り付けられるブラケットと、前記ブラケットに設けられた固定ナットまたは固定ボルトとを有し、前記第２取付部は、前記固定ナットと螺合可能な固定ボルトまたは前記固定ボルトと螺合可能な固定ナットを有することを特徴とする。
【００１１】
また、前記ゴム材シートは、内部に層設された金属材シートを有することを特徴とする。
【００１２】
また、本願発明に係るゴム材シートの配設方法は、コンクリート製の複数のセグメントを連結して構成され入水口から放入されて流入する水を流すための集水用配管装置において、放入される水が衝突する位置の内壁面上にゴム材シートを配設するゴム材シートの配設方法であって、隣接する前記セグメント同士を連結する連結用ボルトナットが格納されるボルトボックス内に、前記ゴム材シートの裏面側部と前記連結用ボルトナットとを掛け渡す第１取付部を取り付け、前記ゴム材シートの表面側に前記第１取付部と組んで前記ゴム材シートを前記内壁面上に固定する第２取付部を位置させ、放入される水が衝突する位置の内壁面上にゴム材シートを配設し、前記第２取付部と前記第１取付部とを組んで前記ゴム材シートを前記内壁面上に固定することを特徴とする。
【発明の効果】
【００１３】
本願発明の構成によれば、隣接する前記セグメント同士を連結する連結用ボルトナットが格納されるボルトボックス内に取り付けられゴム材シートの裏面側部と連結用ボルトナットとを掛け渡す第１取付部と、ゴム材シートの表面側に位置し第１取付部と組んでゴム材シートを内壁面上に固定する第２取付部とを備えるので、集水用配管装置を構成するコンクリート材を、例えばアンカーボルトを打ち込むことによる損傷を生じさせることなくゴム材シートを取り付けることが可能になる。
【００１４】
また、第１取付部は、連結用ボルトナットに取り付けられるブラケットと、ブラケットに設けられた固定ナットまたは固定ボルトとを有し、第２取付部は、固定ナットと螺合可能な固定ボルトまたは固定ボルトと螺合可能な固定ナットを有するので、簡易にゴム材シートを集水用配管装置の底部内壁面上に取り付けることが可能になる。
【図面の簡単な説明】
【００１５】
【図１】本願発明に係る集水用配管装置を一実施形態を示し、集水用配管装置を構成するセグメントのボルトボックスの部位を示す断面図。
【図２】集水用配管装置の底部に配設されたゴム材シートを示す平面図。
【図３】図２の矢視Ａ−Ａに関する断面図。
【図４】ゴム材シートの配設方法を示す断面図（ａ）と側面図（ｂ）。
【図５】ゴム材シートの配設方法を示す断面図（ａ）と側面図（ｂ）。
【図６】ゴム材シートの配設方法を示す断面図（ａ）と側面図（ｂ）。
【図７】ゴム材シートの配設方法を示す断面図（ａ）と側面図（ｂ）。
【図８】従来の集水用配管装置を示す説明図。
【発明を実施するための最良の形態】
【００１６】
以下に図面を参照して、本願発明に係る集水用配管装置の実施の形態について説明する。  
図１は、雨水等が落下する落下口に対応する集水用配管装置１の底部に配設されたゴム材シート５を示す断面図である。図２は、集水用配管装置１の底部に配設されたゴム材シート５を示す平面図である。図３は、図２の矢視Ａ−Ａに関する断面図である。ここでは、集水用配管装置１の例として地面に水平に配設されたシールドトンネル型の集水用配管装置を説明する。
【００１７】
集水用配管装置１は、コンクリート製の複数のセグメント２を組合せ連結して構成されている。集水用配管装置１は例えば図８に示す集水用配管装置１０１のような形状を有し、直径は例えば１．６ｍ〜１０ｍである。セグメント２は、軸方向に例えば０．７ｍ〜１．５ｍの長さを有し、例えば７５ｍｍ〜６００ｍｍの肉厚を有する。集水用配管装置１の円周方向には例えば５〜７個のセグメント２が連結される。
【００１８】
既知のように、複数のセグメント２はそれぞれの端部側壁にはボルトボックス３が形成されている。ボルトボックス３はセグメント２の例えば端部にほぼ直方体状の凹部を形成するように設けられている。ボルトボックス３には、隣接するセグメント同士２、２を連結する連結用ボルトナット４が格納される。連結用ボルトナット４はボルトボックス３を形成するフランジ２ａにボルトとナットとで連結するものである。集水用配管装置１は、その円周方向と長手軸線方向の両方向に渡って、ボルトボックス３に格納された連結用ボルトナット４によって複数のセグメント２が組み合わせ連結されて構成されている。
【００１９】
図１に示すように、ゴム材シート５は、内部に層設された金属材シート６を有する。また、隣接するセグメント２、２は、そのフランジ２ａ、２ａが連結用ボルトナット４によって連結される。連結用ボルトナット４は、対面するように位置するボルトボックス３内に格納される。
【００２０】
なお、隣接するセグメント同士２、２のボルトボックス３が互いに対面する代わりに一方のフランジ２ａ側のみにボルトボックス３があるほうにすることも可能である。この場合、他方のフランジ２ａには例えばナットが固着されており、一方のフランジ２ａ側のボルトボックス３を介してボルトを他方のフランジ２ａ側のナットに螺合するようにすればよい。
【００２１】
図１において、ゴム材シート５の裏面側（集水用配管装置１の内壁面と反対側）には第１取付部７、８がボルトボックス４内に取り付けられており、ゴム材シート５の表面側（集水用配管装置１の内壁面側）には、第１取付部７、８と組んでゴム材シート５を内壁面上に固定する第２取付部９が設けられている。
【００２２】
第１取付部７、８は、連結用ボルトナット４に一端が取り付けられた断面Ｌ字状に形成されたブラケット７と、ブラケット７の他端側に設けられた固定ナット８とを有する。第２取付部９は、固定ナット８と螺合可能な固定ボルト９を有する。なお、第１取付部７、８の固定ナット８を固定ボルトに代え、第２取付部９の固定ボルト９を固定ナットに代えることも可能である。
【００２３】
なお、ここで、第２取付部９が第１取付部７、８と組むとは、第１取付部７、８と第２取付部９とが、互いに螺合しあうことに限らず、互いに引っ張り合う等のように協同的に作用することによって締め付け合う関係にあることをも含むものである。
【００２４】
ゴム材シート５には、固定ナット８に螺合するための固定ボルト９を通すための貫通孔１０が形成されている。このゴム材シート５に形成された貫通孔１０はボルトボックス３が位置に対応する位置に形成されている。また、貫通孔１０は、金属材シート６より上側部では固定ボルト９の座部がゴム材シート５に埋設できるように太く形成され、金属材シート６の部分では固定ボルト９の座部が留められ固定ボルト９の軸部だけが貫通するように細く形成され、金属材シート６より下側部では座金１１を収納するように太く形成されている。
【００２５】
ブラケット７の一端が連結用ボルトナット４に取り付けられ、固定ナット８と固定ボルト９によってゴム材シート５が集水用配管装置１の底部内壁面上に取り付けられる前に、ボルトボックス３内はモルタル１２で充填される。
【００２６】
なお、上述の説明においては、集水用配管装置１としては、地面に水平に配設されたシールドトンネルを例にして説明したが、本願発明はこれに限らず、例えば、地面に垂直に配設された組み立て式のマンホールに対しても適用することができる。この場合、マンホールの地表に近い位置に入水口があり、この入水口から水平方向に勢いよく水が放入され、放入された水の一部はマンホールの側壁部に衝突し、また、マンホールの側壁部に衝突した水及び放入された水の残部はマンホールの底部に落下して衝突する。このような場合には、放入される水が衝突する位置の内壁面上に配設されるゴム材シートとしては、マンホールの側壁部と底部とに配設するようにすればよい。
【００２７】
次に、図４乃至図７を参照して、ゴム材シート５の配設方法について説明する。対向するボルトボックス３は片方のみを示す。
【００２８】
まず、図４に示すように、隣接するセグメント２、２同士を連結する連結用ボルトナット４が格納されるボルトボックス３内に取り付けられゴム材シート５の裏面側部と連結用ボルトナット４とを掛け渡す第１取付部として、一端部に固定ナット８が固着された第１取付部７、８のブラケット７を用意する。次に、図５に示すように、隣接するセグメント同士２、２を連結する連結用ボルトナット４にブラケット７の他端部を取り付ける。次に、図６に示すように、ボルトボックス３内にモルタル１２を充填するとともに、所定位置に貫通孔１０が形成されたゴム材シート５と第２取付部９の固定ボルト９を用意する。次に、図７に示すように、ゴム材シート５の裏面側から貫通孔１０に締め付け材としての座金１１を配設するとともに、固定ボルト９をゴム材シート５の貫通孔１０に通し固定ナット８に螺合しゴム材シート５を集水用配管装置１の底部に取り付ける。このようにして、集水用配管装置１の底部内壁面上にゴム材シート５が取り付けられる。
【００２９】
以上のように、本実施の形態によれば、ボルトボックス４内に収納して取り付けられた第１取付部７、８と、第１取付部７、８と組んでゴム材シート５を内壁面上に固定する第２取付部９とを備えるので、セメント材からなるセグメント２にアンカーボルトを打ち込むことをせずに、集水用配管装置１の底部内壁面上にゴム材シート５を取り付けることができ、アンカーボルトを打ち込むことによって生じ得るブラケット７のひび割れを回避することができる。
【００３０】
また、セグメント２に予め形成されているボルトボックス３を活用するので、第１取付部７、８を収納するために新たにボルトボックスを作成する必要がない。
【００３１】
また、第１取付部７、８は、連結用ボルトナット４に一端が取り付けられたブラケット７とブラケット７の他端側に設けられた固定ナット８とを有し、第２取付部９は固定ナット８と螺合可能な固定ボルト９を有するので、アンカーボルトを用いることなく簡易にゴム材シート５を集水用配管装置１の底部内壁面上に取り付けることができる。
【００３２】
また、ゴム材シート５は、内部に層設された金属材シート６を有するので、ゴム材シート５に形成した貫通孔１０を金属材シート６の部分では細く形成することにより、固定ボルト９の座部が金属材シート６の上面に留められるようにすることができ、固定ボルト９を簡易に固定ナット８に締め付けることが可能になる。
【００３３】
なお、セグメントに形成された連結用ボルトナットが格納されるボルトボックスの形状としては、実質的に連結用ボルトナットの格納が可能であれば、図１や図５等に示したものに限らず、例えば、連結用ボルトナットを格納可能なスペースが形成されているだけのものであってもよい。
【符号の説明】
【００３４】
１  集水用配管装置
２  セグメント
３  ボルトボックス
３ａ  取付壁部
４  連結用ボルトナット
５  ゴム材シート
６  金属材シート
７  ブラケット
８  固定ナット
９  固定ボルト
１０  貫通孔
１１  座金
１２  モルタル
【図１】
0006411251.tif 000002
【図２】
0006411251.tif 000003
【図３】
0006411251.tif 000004
【図４】
0006411251.tif 000005
【図５】
0006411251.tif 000006
【図６】
0006411251.tif 000007
【図７】
0006411251.tif 000008
【図８】
0006411251.tif 000009